(57)【要約】【課題】送信側でのＧＦＤＭ変調に係るリソース設定を適切に受信側に通知することが可能な仕組みを提供する。【解決手段】第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースに格納する処理部、を備える装置。【選択図】図８
2017138224.tif 000002
【特許請求の範囲】
【請求項１】
第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースに格納する処理部、
を備える装置。
【請求項２】
前記第１のリソースと当該第１のリソースの設定内容を示す情報が格納される前記第２のリソースとは、同一の周波数帯域で送信される、請求項１に記載の装置。
【請求項３】
前記第１のリソースと当該第１のリソースの設定内容を示す情報が格納される前記第２のリソースとは、異なる周波数帯域で送信される、請求項１に記載の装置。
【請求項４】
前記第１のリソースの設定内容を示す情報が格納される前記第２のリソースを含む周波数帯域はプライマリセルであり、前記第１のリソースの設定内容を示す情報が格納される前記第２のリソースを含まない周波数帯域はセカンダリセルである、請求項３に記載の装置。
【請求項５】
送信される複数の周波数帯域のうち、少なくともひとつの周波数帯域は全体が前記第２のリソースであり、他の周波数帯域は全体が前記第１のリソースである、請求項３に記載の装置。
【請求項６】
前記第１のリソースの設定内容を示す情報は、システム情報に含まれる、請求項１に記載の装置。
【請求項７】
周期的に送信されるシステム情報のうち毎回又は一部の回のシステム情報が前記第２のリソースに格納される、請求項６に記載の装置。
【請求項８】
前記システム情報の一部又は全部が前記第２のリソースに格納される、請求項６に記載の装置。
【請求項９】
前記システム情報は、ＭＩＢ（Master  Information  Block）である、請求項６に記載の装置。
【請求項１０】
前記システム情報は、ＳＩＢ（System  Information  Block）である、請求項６に記載の装置。
【請求項１１】
前記第１のリソースの設定内容を示す情報は、個別のシグナリングメッセージに含まれる、請求項１に記載の装置。
【請求項１２】
前記第２のリソースの位置を特定するための情報は、システム情報に含まれる、請求項１に記載の装置。
【請求項１３】
前記第２のリソースの位置を特定するための情報は、同期信号に含まれる、請求項１に記載の装置。
【請求項１４】
前記第２のリソースにおいて設定されるサブシンボルの時間長の前記所定値は、ＯＦＤＭ（orthogonal  frequency-division  multiplexing）におけるシンボルの時間長である、請求項１に記載の装置。
【請求項１５】
前記第２のリソースにおいて設定されるサブキャリアの帯域幅の前記所定値は、ＯＦＤＭにおけるサブキャリアの帯域幅である、請求項１に記載の装置。
【請求項１６】
前記第１のリソースの設定内容を示す情報は、前記第１のリソースの設定内容に対応するインデックスである、請求項１に記載の装置。
【請求項１７】
前記処理部は、前記第１のリソース及び前記第２のリソースをサブキャリアごとにフィルタリングする、請求項１に記載の装置。
【請求項１８】
サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいて前記第１のリソースを復調する処理部、
を備える装置。
【請求項１９】
第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースにプロセッサにより格納すること、
を含む方法。
【請求項２０】
サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいてプロセッサにより前記第１のリソースを復調すること、
を含む方法。
【発明の詳細な説明】
【技術分野】
【０００１】
本開示は、装置及び方法に関する。
【背景技術】
【０００２】
近年、マルチキャリア変調技術（即ち、多重技術又はマルチアクセス技術）の代表として、ＯＦＤＭ（Orthogonal  Frequency  Division  Multiplexing：直交周波数分割多重)、及びＯＦＤＭＡ（Orthogonal  Frequency  Division  Multiple  Access：直交周波数分割多元接続)が、多様な無線システムで実用化されている。実用例としては、ディジタル放送、無線ＬＡＮ、及びセルラーシステムが挙げられる。ＯＦＤＭは、マルチパス伝搬路に対する耐性があり、ＣＰ（Cyclic  Prefix：サイクリックプリフィックス）を採用することで、マルチパス遅延波に起因するシンボル間干渉の発生を回避することが可能である。一方で、ＯＦＤＭの欠点として、帯域外輻射のレベルが大きい点が挙げられる。また、ＰＡＰＲ（Peak-to-Average  Power  Ratio：ピーク対平均電力比）が高くなる傾向があり、送受信装置で発生する歪に弱いことも、欠点として挙げられる。【０００３】
このようなＯＦＤＭの欠点である帯域外輻射を抑制可能な、新たな変調技術が登場している。本変調技術は、サブシンボルという新たな概念を導入し、１シンボルを任意の個数のサブシンボルに分割することで、柔軟なシンボルの時間及び周波数の設計を行うことが可能である。また、本変調技術は、シンボルに対しパルス整形フィルタ（Pulse  Shape  Filter）を適用して波形整形することによって、帯域外の不要信号の輻射を低減することができ、周波数利用効率の向上が期待される。さらに、本変調技術は、サブシンボルの導入により柔軟なリソース設定が可能となるので、今後求められるであろう多様性に対する実現手段となる。【０００４】
本変調技術の呼び名については、ＵＦ−ＯＦＤＭ（Universal  Filtered-OFDM）、ＵＦＭＣ（Universal  Filtered  Multi-Carrier）、ＦＢＭＣ（Filter  Bank  Multi-Carrier）、ＧＯＦＤＭ（Generalized  OFDM）など、多様に存在する。とりわけ、本変調技術は、一般化されたＯＦＤＭであるとも言えることから、ＧＦＤＭ（Generalized  Frequency  Division  Multiplexing）とも称される場合があり、本明細書ではこの名称を採用する。ＧＦＤＭに関する基本的な技術については、例えば下記特許文献１及び非特許文献１に開示されている。
【先行技術文献】
【特許文献】
【０００５】
【特許文献１】米国特許出願公開第２０１０／０１８９１３２Ａ１号明細書
【非特許文献】
【０００６】
【非特許文献１】Ｎ．  Ｍｉｃｈａｉｌｏｗ，  ｅｔ  ａｌ．，  “Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ  ｆｏｒ  ５ｔｈ  Ｇｅｎｅｒａｔｉｏｎ  Ｃｅｌｌｕｌａｒ  Ｎｅｔｗｏｒｋｓ，”  ＩＥＥＥ  Ｔｒａｎｓ．  Ｃｏｍｍｕｎ．，  ｖｏｌ．６２，  ｎｏ．９，  Ｓｅｐｔ．  ２０１４．
【発明の概要】
【発明が解決しようとする課題】
【０００７】
ＧＦＤＭでは、サブシンボル長の設定及びサブキャリア周波数の設定、換言すると単位リソースにおけるサブシンボルの数及びサブキャリアの数の設定といったリソース設定は、は柔軟に設定可能である。しかし、送信側でのＧＦＤＭ変調に係るリソース設定が受信側にとって未知であれば、受信側での復調は困難となる。そのため、送信側でのＧＦＤＭ変調に係るリソース設定を適切に受信側に通知することが可能な仕組みが提供されることが望ましい。
【課題を解決するための手段】
【０００８】
本開示によれば、第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースに格納する処理部、を備える装置が提供される。【０００９】
また、本開示によれば、サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいて前記第１のリソースを復調する処理部、を備える装置が提供される。【００１０】
また、本開示によれば、第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースにプロセッサにより格納すること、を含む方法が提供される。【００１１】
また、本開示によれば、サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいてプロセッサにより前記第１のリソースを復調すること、を含む方法が提供される。
【発明の効果】
【００１２】
以上説明したように本開示によれば、送信側でのＧＦＤＭ変調に係るリソース設定を適切に受信側に通知することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】ＧＦＤＭに関する技術を説明するための説明図である。
【図２】ＧＦＤＭに関する技術を説明するための説明図である。
【図３】ＧＦＤＭに関する技術を説明するための説明図である。
【図４】ＬＴＥにおけるＵＥへのシステム情報の送受信を説明するための図である。
【図５】本実施形態に係るシステムの概略的な構成の一例を示す説明図である。
【図６】本実施形態に係る基地局の構成の一例を示すブロック図である。
【図７】本実施形態に係る端末装置の構成の一例を示すブロック図である。
【図８】本実施形態に係るＧＦＤＭ設定情報の送受信の一例を説明するための図である。
【図９】本実施形態に係るＧＦＤＭ設定情報の送受信の一例を説明するための図である。
【図１０】本実施形態に係るＧＦＤＭ設定情報の送受信の一例を説明するための図である。
【図１１】本実施形態に係るＧＦＤＭ設定情報の送受信の一例を説明するための図である。
【図１２】本実施形態に係るＧＦＤＭ設定情報の送受信の一例を説明するための図である。
【図１３】本実施形態に係るＧＦＤＭ設定情報の送受信の一例を説明するための図である。
【図１４】本実施形態に係る基地局によるＧＦＤＭ信号の送信に関する信号処理の一例を説明するための図である。
【図１５】本実施形態に係る基地局によるＭＩＭＯのＧＦＤＭ信号の送信に関する信号処理の一例を説明するための図である。
【図１６】本実施形態に係る端末装置によるＭＩＭＯのＧＦＤＭ信号の受信に関する信号処理の一例を説明するための図である。
【図１７】本実施形態に係る基地局において実行される送信処理の流れの一例を示すフローチャートである。
【図１８】本実施形態に係る端末装置において実行される受信処理の流れの一例を示すフローチャートである。
【図１９】ｅＮＢの概略的な構成の第１の例を示すブロック図である。
【図２０】ｅＮＢの概略的な構成の第２の例を示すブロック図である。
【図２１】スマートフォンの概略的な構成の一例を示すブロック図である。
【図２２】カーナビゲーション装置の概略的な構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．はじめに
１．１．ＧＦＤＭ
１．２．技術的課題
２．システムの概略的な構成
３．各装置の構成
３．１．基地局の構成
３．２．端末装置の構成
４．技術的特徴
４．１．基本技術
４．２．キャリアアグリゲーションへの応用
４．３．補足
４．４．ＧＦＤＭ信号処理
４．５．処理の流れ
５．応用例
６．まとめ
【００１６】
＜＜１．はじめに＞＞
＜１．１．ＧＦＤＭ＞
まず、図１〜図３を参照して、ＧＦＤＭについて説明する。
【００１７】
図１は、ＧＦＤＭにおけるシンボルの概念を説明するための説明図である。符号１０は、ＯＦＤＭの１シンボル当たりのリソース（無線リソースとも称される。なお、単位リソースに相当する）を示している。符号１０に示したリソースは、１シンボル区間が単一のシンボルで占有されている一方で、周波数方向に多数のサブキャリアを含む。また、ＯＦＤＭでは、シンボル毎にＣＰが付加される。符号１２は、ＳＣ−ＦＤＭ（Single  Carrier  Frequency  Division  Multiplexing）信号における、ＯＦＤＭの１シンボルに相当する区間のリソースを示している。符号１２に示したリソースは、キャリア周波数に渡って単一のシンボルで専有されている一方で、シンボル長はＯＦＤＭと比較して短く、時間方向に多数のシンボルを含む。符号１１は、ＧＦＤＭにおける、ＯＦＤＭの１シンボルに相当する区間のリソースを示している。符号１１に示したリソースは、符号１０に示したリソースと符号１２に示したリソースとの中間の構造を有する。すなわち、ＧＦＤＭでは、ＯＦＤＭの１シンボルに相当する区間が任意の数のサブシンボルに分割され、それに伴いサブキャリアの数がＯＦＤＭよりも少なくなる。このようなリソースの構造は、パラメータによるシンボル長の変更を可能とし、より柔軟性に富んだ送信フォーマットを提供可能である。なお、ＧＦＤＭにおいては、サブキャリアの数とサブシンボルの数との積の値が所定値であることが望ましい。
【００１８】
図２は、ＧＦＤＭをサポートする送信装置の構成例の一例を示す図である。まず、データが入力されると、送信装置は、可変に設定されたサブキャリアの数及びサブシンボルの数に対応するフィルタリングを適用するために、入力データのマッピングを行う。なお、ここでのサブシンボルに対するマッピングは、ＯＦＤＭに比べて、オーバーサンプリングを施すことと等価の効果を有する。次いで、送信装置は、所定数のサブキャリア及び所定数のサブシンボルに対してパルス整形フィルタを適用する（より具体的には、所定のフィルタ係数を乗じる）。そして、送信装置は、パルス整形後の波形を周波数−時間変換してシンボルを生成する。最後に、送信装置は、ＣＰを追加し、ＤＡＣ（Digital  to  Analog  Converter）を適用してＲＦ（Radio  Frequency）信号を高周波回路へ出力する。
【００１９】
ここで、ＧＦＤＭ変調は次式により表現される。
【００２０】
【数１】
2017138224.tif 000003
【００２１】
【数２】
2017138224.tif 000004
【００２２】
ただし、Ｋはサブキャリアの数であり、Ｍはサブシンボルの数であり、ｄｋ，ｍ、はｋ番目のサブキャリアのｍ番目のサブシンボルに対応する入力データであり、ｘ［ｎ］はＮ＝ＫＭ個の出力データのｎ番目の値であり、ｇｋ，ｍ［ｎ］はフィルタの係数である。
【００２３】
ＧＦＤＭシンボルのｎ番目の出力サンプル値ｘ［ｎ］は、マッピングされた入力データに対応するＧＦＤＭ係数をそれぞれ掛け合わせたのち、それらすべての和をとったものである。ｎが０からＮまで変化するとき、フィルタ係数は上記数式（２）に従って変化し、１シンボルあたり合計Ｎ個のサンプル値が得られる。この結果、サブシンボルに対してＫ倍にオーバーサンプリングされた時間波形のサンプル値が生成される。この場合、Ｍ個のサブシンボルに対してＫ倍、すなわちＫＭ＝Ｎ個の出力値が得られる。送信装置は、このようにして得られたＧＦＤＭシンボルをＤ／Ａ変換し、高周波回路により所望の増幅及び周波数変換を施した後、アンテナから送信する。
【００２４】
なお、パルス整形フィルタとしては、例えば、ＲＣフィルタ（Raised  Cosine  Filter)、ＲＲＣフィルタ（Root  Raised  Cosine  Filter)又はＩＯＴＡフィルタ（Isotropic  Orthogonal  Transfer  Algorithm  filter）等が採用され得る。
【００２５】
上記定式化したＧＦＤＭ変調における、入力データ（ベクトル）と出力データ（ベクトル）との関係を、次式のように行列Ａで表す。
【００２６】
【数３】
2017138224.tif 000005
【００２７】
この変換行列Ａは、サイズがＫＭ＊ＫＭの、複素数の要素を持つ正方行列である。図３に、変換行列Ａの要素（即ち、フィルタ係数）の振幅値（絶対値）をプロットした図を示す。本図は、Ｋ＝４とし、Ｍ＝７とし、波形整形のプロトタイプフィルタとしてＲＣフィルタ（α＝０．４）を採用した場合を示している。
【００２８】
＜１．２．技術的課題＞
・従来
ＬＴＥを含むセルラー通信では、ユーザ端末（ＵＥ：User  Equipment）は、典型的には、定期的に（即ち、周期的に）システム情報を受信する。ＵＥは、このシステム情報に基づいて、セルラー通信に関する基本的な設定情報を取得することが可能である。以下、図４を参照して、ＬＴＥにおける典型的なシステム情報の送受信の一例を説明する。
【００２９】
図４は、ＬＴＥにおけるＵＥへのシステム情報の送受信を説明するための図である。図４に示すように、ＬＴＥでは、各周波数帯域（キャリア＃１〜＃Ｎ）において、周期的に同期信号（Synchronization  Signal）及びシステム情報（System  Information）が送信される。ここでのシステム情報とはＭＩＢ（Master  Information  Block）であってもよく、典型的には４０ｍｓ（ミリ秒）ごとに通知される。なお、４０ｍｓとは、４０サブフレーム、即ち４無線フレームに相当する。ＭＩＢは、キャリア帯域に関わらず、１．４ＭＨｚの帯域幅で固定的に送信される。ＵＥは、まず、ＰＳＳ（Primary  Synchronization  Signal）及びＳＳＳ（Secondary  Synchronization  Signal）等の同期信号を受信して、ｅＮＢとのフレーム同期を確立する。そして、ＵＥは、上述した所定の位置で送信されるシステム情報を取得する。ＵＥは、このシステム情報に基づいて、ＭＩＭＯ（multiple−input  and  multiple−output）のアンテナ本数、帯域幅、ＰＨＩＣＨ（Physical  Hybrid−ARQ  Indicator  Channel）の設定、及びＳＦＮ（System  Frame  Number）等を知得することが可能である。その際、システム情報内に暗示的に含まれる情報（例えば、ＭＩＭＯのアンテナ本数）に関しては、ＣＲＣ（Cyclic  Redundancy  Check）を用いたブラインド検出が行われ得る。
【００３０】
・ＧＦＤＭ
一方、ＧＦＤＭでは、リソース設定は柔軟に設定可能である。しかし、送信側でのリソース設定が受信側にとって未知であれば、受信側での復調は困難となる。そのため、送信側でのリソース設定を適切に受信側に通知することが可能な仕組みが提供されることが望ましい。
【００３１】
その一例として、ＵＥが、同期を確立後にＭＩＢを受信してリソース設定を知得し、当該リソース設定を用いてＧＦＤＭでの通信を行う仕組みが考えられる。しかしながら、ＭＩＢからのリソース設定の取得が、ＣＲＣを用いたブラインド検出により行われる場合、処理負荷の大幅な増加が懸念される。
【００３２】
例えば、ＭＩＭＯのアンテナ本数を取得するためには、最大で、ＭＩＭＯのアンテナ本数として取り得る値の組み合わせの数だけブラインド検出が行われていた。リソース設定に関してもブラインド検出が行われるとすると、最大で、リソース設定として取り得るサブシンボル長及びサブキャリア周波数又はサブシンボルの数及びサブキャリアの数の組み合わせの数だけ、ブラインド検出が行われ得る。この組み合わせの数が大きい場合、ブラインド検出のための処理負荷が膨大なものになるおそれがある。
【００３３】
そこで、リソース設定は、ＣＲＣを用いたブラインド検出が不要となるよう、明示的にシステム情報内に含まれることが望ましい。さらに、リソース設定を含むシステム情報自体が格納されるリソースのリソース設定は、受信側でも既知であることが望ましい。また、キャリアアグリゲーションが実施される場合においても、リソース設定が適切にＵＥに通知されることが望ましい。そこで、本開示では、上記事情を鑑みて、リソース設定の通知を適切に行うことが可能な仕組みを提供する。
【００３４】
＜＜２．システムの概略的な構成＞＞
続いて、図５を参照して、本開示の一実施形態に係るシステム１の概略的な構成を説明する。図５は、本開示の一実施形態に係るシステム１の概略的な構成の一例を示す説明図である。図５を参照すると、システム１は、基地局１００及び端末装置２００を含む。ここでは、端末装置２００は、ユーザとも呼ばれる。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００３５】
（１）基地局１００
基地局１００は、セルラーシステム（又は移動体通信システム）の基地局である。基地局１００は、基地局１００のセル１０１内に位置する端末装置（例えば、端末装置２００）との無線通信を行う。例えば、基地局１００は、端末装置へのダウンリンク信号を送信し、端末装置からのアップリンク信号を受信する。
【００３６】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００３７】
（３）多重化／多元接続
とりわけ本開示の一実施形態では、基地局１００は、直交多元接続／非直交多元接続により、複数の端末装置との無線通信を行う。より具体的には、基地局１００は、ＧＦＤＭを用いた多重化／多元接続により、複数の端末装置２００との無線通信を行う。
【００３８】
例えば、基地局１００は、ダウンリンクにおいて、ＧＦＤＭを用いた多重化／多元接続により、複数の端末装置２００との無線通信を行う。より具体的には、例えば、基地局１００は、複数の端末装置２００への信号を、ＧＦＤＭを用いて多重化する。この場合に、例えば、端末装置２００は、所望信号（即ち、端末装置２００への信号）を含む多重化信号から、干渉として１つ以上の他の信号を除去し、上記所望信号を復号する。
【００３９】
なお、基地局１００は、ダウンリンクの代わりに、又はダウンリンクとともに、アップリンクにおいて、ＧＦＤＭを用いた多重化／多元接続により、複数の端末装置との無線通信を行ってもよい。この場合に、基地局１００は、当該複数の端末装置により送信される信号を含む多重化信号から、当該信号の各々を復号してもよい。
【００４０】
（４）補足
本技術は、ＨｅｔＮｅｔ（Heterogeneous  Network）又はＳＣＥ（Small  Cell  Enhancement）などのマルチセルシステムにおいても適用可能である。また、本技術は、ＭＴＣ装置及びＩｏＴ装置等に関しても適用可能である。
【００４１】
＜＜３．各装置の構成＞＞
続いて、図６及び図７を参照して、本開示の実施形態に係る基地局１００及び端末装置２００の構成を説明する。
【００４２】
＜３．１．基地局の構成＞
まず、図６を参照して、本開示の一実施形態に係る基地局１００の構成の一例を説明する。図６は、本開示の一実施形態に係る基地局１００の構成の一例を示すブロック図である。図６を参照すると、基地局１００は、アンテナ部１１０、無線通信部１２０、ネットワーク通信部１３０、記憶部１４０及び処理部１５０を備える。
【００４３】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４４】
（２）無線通信部１２０
無線通信部１２０は、信号を送受信する。例えば、無線通信部１２０は、端末装置へのダウンリンク信号を送信し、端末装置からのアップリンク信号を受信する。
【００４５】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４６】
（４）記憶部１４０
記憶部１４０は、基地局１００の動作のためのプログラム及び様々なデータを一時的に又は恒久的に記憶する。
【００４７】
（５）処理部１５０
処理部１５０は、基地局１００の様々な機能を提供する。処理部１５０は、設定部１５１、通知部１５３及び送信処理部１５５を含む。なお、処理部１５０は、これらの構成要素以外の他の構成要素をさらに含み得る。即ち、処理部１５０は、これらの構成要素の動作以外の動作も行い得る。
【００４８】
設定部１５１、通知部１５３及び送信処理部１５５の機能は、後に詳細に説明する。
【００４９】
＜３．２．端末装置の構成＞
まず、図７を参照して、本開示の一実施形態に係る端末装置２００の構成の一例を説明する。図７は、本開示の一実施形態に係る端末装置２００の構成の一例を示すブロック図である。図７を参照すると、端末装置２００は、アンテナ部２１０、無線通信部２２０、記憶部２３０及び処理部２４０を備える。
【００５０】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５１】
（２）無線通信部２２０
無線通信部２２０は、信号を送受信する。例えば、無線通信部２２０は、基地局からのダウンリンク信号を受信し、基地局へのアップリンク信号を送信する。
【００５２】
（３）記憶部２３０
記憶部２３０は、端末装置２００の動作のためのプログラム及び様々なデータを一時的に又は恒久的に記憶する。
【００５３】
（４）処理部２４０
処理部２４０は、端末装置２００の様々な機能を提供する。処理部２４０は、取得部２４１及び受信処理部２４３を含む。なお、処理部２４０は、この構成要素以外の他の構成要素をさらに含み得る。即ち、処理部２４０は、この構成要素の動作以外の動作も行い得る。
【００５４】
取得部２４１及び受信処理部２４３の機能は、後に詳細に説明する。
【００５５】
＜＜４．技術的特徴＞＞
以下では、基地局１００が送信装置であり、端末装置２００が受信装置であるものとして、本実施形態の技術的特徴を説明する。
【００５６】
＜４．１．基本技術＞
まず、図８及び図９を参照して、基本技術について説明する。
【００５７】
（１）ＧＦＤＭ変調／復調
基地局１００は、ＧＦＤＭ変調を行う。まず、基地局１００（例えば、設定部１５１）は、ひとつ以上のサブキャリア又はひとつ以上のサブシンボルから成る単位リソースのリソース設定を行う。詳しくは、基地局１００は、単位リソースに含まれるサブキャリアの数又はサブシンボルの数の少なくともいずれかを可変に設定する。換言すると、基地局１００は、単位リソースに含まれるサブキャリアの帯域幅又はサブシンボルの時間長の少なくともいずれかを可変に設定する。そして、基地局１００（例えば、送信処理部１５５）は、サブキャリアごとにパルス整形フィルタによるフィルタリングを行う（即ち、フィルタ係数を乗算する）。
【００５８】
本実施形態に係る端末装置２００は、ＧＦＤＭ変調されて送信された信号を受信してＧＦＤＭ復調を行う。詳しくは、端末装置２００（例えば、受信処理部２４３）は、単位リソースに含まれるサブキャリアの数又はサブシンボルの数（換言すると、サブキャリアの帯域幅又はサブシンボルの時間長）の少なくともいずれかが可変に設定されて送信された信号を受信及び復調して、データを取得する。その際、端末装置２００は、送信側で適用されたパルス整形フィルタに対応するパルス整形フィルタを適用し（即ち、フィルタ係数を乗算する）、送信側で適用されたアップサンプリングに対応するダウンサンプリングを行う。
【００５９】
（２）リソース設定
とりわけ、本実施形態では、ＧＦＤＭ変調の対象であるリソースのうち、第１のリソースと第２のリソースとで、異なる処理が行われ得る。以下、この点について詳しく説明する。
【００６０】
本実施形態に係る基地局１００（例えば、設定部１５１）は、第１のリソースにおけるサブキャリアの帯域幅若しくはサブシンボルの時間長（換言すると、サブキャリアの数又はサブシンボルの数）の少なくともいずれかを可変に設定する。そして、基地局１００（例えば、通知部１５３）は、第１のリソースの設定内容（即ち、リソース設定）を示す情報をサブキャリアの帯域幅及びサブシンボルの時間長に所定値が設定される第２のリソースに格納する。その後、基地局１００（例えば、送信処理部１５５）は、第１のリソース及び第２のリソースをＧＦＤＭ変調（即ち、フィルタリング）する。サブキャリアの帯域幅及びサブシンボルの時間長に設定される所定値は、端末装置２００側でも既知である。そのため、端末装置２００は、第２のリソースを復調して第１のリソースのリソース設定を示す情報を取得することが容易に可能となり、取得した情報に基づいて第１のリソースも容易に復調することが可能となる。
【００６１】
以下、第１のリソースのリソース設定を示す情報を、ＧＦＤＭ設定情報とも称する。ＧＦＤＭ設定情報は、第１のリソースの単位リソースにおけるサブキャリアの帯域幅及びサブシンボルの時間長を示す情報であってもよいし、第１のリソースの単位リソースにおけるサブキャリアの数及びサブシンボルの数を示す情報であってもよい。また、ＧＦＤＭ設定情報は、第１のリソースのリソース設定を直接的に表す情報であってもよいし、リソース設定に対応するインデックスであってもよい。インデックスの場合、リソース設定を直接的に表す情報と比較してＧＦＤＭ設定情報の情報量を削減することが可能である。なお、ＧＦＤＭ設定情報は、例えばシステム情報（ＭＩＢ又はＳＩＢ（System  Information  Block））に含まれ得る。
【００６２】
本実施形態に係る端末装置２００（例えば、取得部２４１）は、ＧＦＤＭ設定情報が格納された第２のリソースの復調結果からＧＦＤＭ設定情報を取得する。そして、端末装置２００（例えば、受信処理部２４３）は、取得されたＧＦＤＭ設定情報に基づいて第１のリソースを復調する。このように、端末装置２００は、ＧＦＤＭ設定情報に基づいて、第１のリソースに含まれる、即ちＧＦＤＭ変調されたデータを容易に復調し、取得することが可能となる。
【００６３】
第２のリソースは、ＯＦＤＭにおける設定と同様の設定がなされてもよい。即ち、第２のリソースにおいて設定されるサブシンボルの時間長の所定値は、ＯＦＤＭにおけるシンボルの時間長であってもよい。即ち、単位リソースにおけるサブシンボルの数が１であってもよい。また、第２のリソースにおいて設定されるサブキャリアの帯域幅の所定値は、ＯＦＤＭにおけるサブキャリアの帯域幅であってもよい。これにより、ＯＦＤＭをサポートする既存のレガシー端末が、第２のリソースを復調してシステム情報を取得することが可能となり、バックワードコンパチビリティが確保される。
【００６４】
ここで、端末装置２００（例えば、取得部２４１）は、第２のリソースの位置（即ち、時間及び周波数帯域）を特定する情報を事前に知得しておくことが望ましい。そこで、例えば、基地局１００から送信される同期信号に、第２のリソースの位置を特定するための情報が含まれてもよい。例えば、同期信号に含まれるセルＩＤの代わりに当該情報が含まれてもよいし、新たに当該情報が追加されてもよい。他にも、システム情報に、第２のリソースの位置を特定するための情報が含まれてもよい。これにより、端末装置２００が第２のリソースを発見するための処理負荷を削減することが可能となる。ただし、当該情報が未知である間（例えば、初回のシステム情報を取得する前）、端末装置２００は、ブラインド検出により第２のリソースを発見してもよい。
【００６５】
以下、図８及び図９を参照して、第１のリソース、第２のリソース、及びシステム情報の関係について具体的に説明する。
【００６６】
図８は、本実施形態に係るＧＦＤＭ設定情報の送受信の一例を説明するための図である。図８に示すように、基地局１００は、ある周波数帯域（キャリア＃１）において、周期的に同期信号及びシステム情報を送信する。ここで注目すべきは、システム情報は、全部が第２のリソースに格納される点である。ＧＦＤＭ設定情報は、このシステム情報に含まれる。ここでのシステム情報とは、ＭＩＢである。端末装置２００は、まず同期信号を受信して基地局１００とのフレーム同期を確立する。この同期信号に、第２のリソースの位置を特定するための情報が含まれる場合、端末装置２００は、同期信号に基づいて第２のリソースの位置を知得する。そして、端末装置２００は、第２のリソースを既知のリソース設定に従って復調してシステム情報に含まれるＧＦＤＭ設定情報を取得し、ＧＦＤＭ設定情報を用いて第１のリソースを復調する。
【００６７】
ここで、図８では、図示された２つのシステム情報のうち、初回の一方は第２のリソースに格納されているものの、後続する他方は第１のリソースに格納されている。端末装置２００は、始めの一方のシステム情報からＧＦＤＭ設定情報を取得できれば、ＧＦＤＭ設定情報を用いて後続する他方のシステム情報を取得可能である。図８に示したように、周期的に送信されるシステム情報のうち一部の回のシステム情報が第２のリソースに格納されてもよい。もちろん、後述する図９に示すように周期的に送信される毎回のシステム情報が第２のリソースに格納されてもよい。換言すると、第２のリソースは、システム情報の周期の整数倍の周期で送信される。
【００６８】
また、第２のリソースの時間長は任意である。例えば、第２のリソースの時間長は、ひとつ又は複数のサブフレームであってもよいし、ひとつ又は複数のサブシンボルであってもよい。以下、第２のリソースの時間長が図８に示した例とは異なる場合を、図９を参照して説明する。
【００６９】
図９は、本実施形態に係るＧＦＤＭ設定情報の送受信の一例を説明するための図である。図９に示すように、基地局１００は、ある周波数帯域（キャリア＃１）において、周期的に同期信号及びシステム情報を送信する。ここで注目すべきは、図９では図８と異なり、システム情報の一部が第２のリソースに格納される点である。この第２のリソースに格納されるシステム情報の一部に、ＧＦＤＭ設定情報が含まれていればよい。その場合、端末装置２００は、ＧＦＤＭ設定情報を用いて第１のリソースを復調することで、残りのシステム情報を取得可能である。また、図９に示した例では、周期的に送信される毎回のシステム情報が第２のリソースに格納されている。
【００７０】
＜４．２．キャリアアグリゲーションへの応用＞
上記説明した基本技術は、キャリアアグリゲーションにも適用可能である。以下、図１０〜図１３を参照して、キャリアアグリゲーションへの適用例を説明する。
【００７１】
（１）第１の応用例
図１０及び図１１は、本実施形態に係るＧＦＤＭ設定情報の送受信の一例を説明するための図である。図１０及び図１１に示すように、第１のリソース及び第２のリソースは複数の周波数帯域（キャリア（例えば、コンポーネントキャリア）＃１〜＃Ｎ）により送信されてもよい。基地局１００は、複数の周波数帯域において、周期的に同期信号及びシステム情報を送信する。端末装置２００は、まず同期信号を受信して基地局１００とのフレーム同期を確立する。ここで、図１０では初回のシステム情報の全部が第２のリソースに格納されており、図１１では初回のシステム情報の一部が第２のリソースに格納されている。いずれの場合でも、端末装置２００は、第２のリソースを復調して初回のシステム情報に含まれるＧＦＤＭ設定情報を取得し、ＧＦＤＭ設定情報を用いて第１のリソースを復調する。
【００７２】
キャリアアグリゲーションによれば、端末装置２００が様々な設定のキャリアを幅広く受信することにより、通信速度の向上以外に、通信環境の変動に対する耐性の向上、及び多様なサービスに対してより柔軟な対応が可能になると言われている。そのために、基地局１００は、キャリアアグリゲーションにより複数のキャリアを用いて通信行う際、サービスの内容又は目的等に応じて、ＧＦＤＭ設定情報をキャリアごとに異ならせてもよい。
【００７３】
例えば、図１０では、キャリア＃１ではサブシンボルの数が１で、キャリア＃２ではサブシンボルの数が５であってもよい。このとき、キャリア＃１とキャリア＃２との伝送速度が同じであるとすると、ＧＦＤＭの基本的な性質により、キャリア＃２のサブキャリアの帯域幅は、キャリア＃１と比較して５倍に拡大して運用されることになる。この場合、キャリア＃２では、端末装置２００の周波数オフセットの許容精度が大幅に緩和される。より詳しくは、端末装置２００の高速移動によるキャリアのドップラーシフト、又は端末装置２００の長いスリープモードでの動作により生じるローカルの基準クロックのドリフトによる周波数誤差等の、特性劣化要因に対する耐性が向上する。
【００７４】
このような、端末装置２００における周波数シフトへの耐性の向上は、端末装置２００における通信エラーの頻度を下げることに寄与する。それに伴い再送の頻度が下がるため、遅延及びスループットに関しても望ましい性能の改善が期待される。
【００７５】
（２）第２の応用例
図１２は、本実施形態に係るＧＦＤＭ設定情報の送受信の一例を説明するための図である。図１２に示すように、キャリア＃１では、第１のリソースと第２のリソースとが送信されている。この第２のリソースに格納されるシステム情報に、キャリア＃１の第１のリソースのＧＦＤＭ設定情報が含まれる。換言すると、第１のリソースと当該第１のリソースのＧＦＤＭ設定情報が格納される第２のリソースとは、同一の周波数帯域で送信されている。そのため、端末装置２００は、キャリア＃１の第２のリソースを復調してシステム情報に含まれるキャリア＃１のＧＦＤＭ設定情報を取得し、キャリア＃１の第１のリソースを復調する。他方、キャリア＃２〜＃Ｎでは、第１のリソースのＧＦＤＭ設定情報が格納された第２のリソースが送信されない。このキャリア＃２〜＃Ｎにおける第１のリソースのＧＦＤＭ設定情報は、キャリア＃１の第２のリソースに含まれるシステム情報に格納される。換言すると、第１のリソースと当該第１のリソースのＧＦＤＭ設定情報が格納される第２のリソースとは、異なる周波数帯域で送信される。即ち、キャリア＃１の第２のリソースに格納されたシステム情報に、同一の周波数帯域（キャリア＃１）のＧＦＤＭ設定情報だけでなく、他の周波数帯域（キャリア＃２〜＃Ｎ）のＧＦＤＭ設定情報が含まれる。よって、端末装置２００は、キャリア＃１の第２のリソースを復調することで、キャリア＃１だけでなくキャリア＃２〜＃ＮのＧＦＤＭ設定情報も取得することが可能となる。そこで、端末装置２００は、キャリア＃１の第２のリソースを復調してシステム情報に含まれるキャリア＃２〜＃ＮのＧＦＤＭ設定情報を取得し、キャリア＃２〜＃Ｎの第１のリソースを復調する。
【００７６】
なお、ＧＦＤＭ設定情報が格納される第２のリソースを含む周波数帯域はプライマリセルであり、ＧＦＤＭ設定情報が格納される第２のリソースを含まない周波数帯域がセカンダリセルであってもよい。その場合、基地局１００は、セカンダリセルでのＧＦＤＭ設定情報に変更が生じた場合に、変更後のＧＦＤＭ設定情報をプライマリセルのシステム情報に格納してまとめて端末装置２００に通知することが可能となる。そのため、端末装置２００では、セカンダリセルの監視を省略することが可能となり、消費電力の大幅な削減が可能となる。
【００７７】
（３）第３の応用例
図１３は、本実施形態に係るＧＦＤＭ設定情報の送受信の一例を説明するための図である。図１３に示す例では、キャリア＃１の全体が第２のリソースであり、残りのキャリアの全体が第１のリソースである。このように、送信される複数のキャリアのうち、少なくともひとつのキャリアは全体が第２のリソースであり、他のキャリアは全体が第１のリソースであってもよい。そして、キャリア＃１のシステム情報に、他の周波数帯域（キャリア＃２〜＃Ｎ）のＧＦＤＭ設定情報が含まれる。ここで、ＧＦＤＭ設定情報は、ＳＩＢに含まれていてもよい。このように、第１のリソースと第２のリソースとがキャリアごとに切り替わる場合、各キャリアにおいて第１のリソースと第２のリソースとを時間ごとに切り替えることが不要となるので、基地局１００及び端末装置２００における処理負荷が軽減可能である。
【００７８】
＜４．３．補足＞
上記では、ＧＦＤＭ設定情報がシステム情報により通知されるものとして説明したが、本技術は係る例に限定されない。例えば、ＧＦＤＭ設定情報は、個別のシグナリングメッセージ（例えば、Ｄｅｄｉｃａｔｅｄ  Ｓｉｇｎａｌｉｎｇ）に含まれてもよい。この通知方法は、特定の端末装置２００についてのみＧＦＤＭ設定情報に変更がある場合に有効である。また、キャリアアグリゲーションに関しては、プライマリセルにおけるＲＲＣシグナリングにより、変更対象のキャリアのＧＦＤＭ設定情報が通知されてもよい。
【００７９】
第１のリソースのリソース設定の設定は、複数の基地局１００を管理する制御エンティティにより行われてもよいし、各々の基地局１００により個別に行われてもよい。前者の場合、制御エンティティは、各基地局１００から提供されるセルの負荷情報又はスケジューリング情報等に基づいて、各セルのスループットが最適となるようリソース設定を設定する。後者の場合、基地局１００は、自セルの状況に応じて、自セルのスループットが最適となるようリソース設定を設定する。
【００８０】
＜４．４．ＧＦＤＭ信号処理＞
続いて、ＧＦＤＭ信号の処理について説明する。
【００８１】
（１）ＧＦＤＭ信号の送信に関する信号処理
まず、図１４及び図１５を参照して、基地局１００によるＧＦＤＭ信号の送信に関する信号処理について説明する。
【００８２】
図１４は、本実施形態に係る基地局１００によるＧＦＤＭ信号の送信に関する信号処理の一例を説明するための図である。図１４に示すように、基地局１００は、インプットデータに対し、ＦＥＣ（Forward  Error  Correction）符号化、レートマッチング、スクランブリング、インタリービング及びビット列からシンボル（例えば、複素シンボルであってもよく、信号点とも称され得る）へのマッピング（Constellation  Mapping）を行う。
【００８３】
基地局１００は、このようにして得られた複素データに対して、ＧＦＤＭ変換処理を行う。詳しくは、基地局１００は、ＧＦＤＭ設定情報が示すサブキャリアの数Ｋ及びサブシンボルの数Ｍに応じて、複素データをリソースにマッピングする。次いで、基地局１００は、マッピングされた入力データｄｋ，ｍ［ｎ］に対してパルス整形フィルタを適用することで、上記数式（２）で示したように出力データｘ［ｎ］を得る。そして、基地局１００は、時間ドメインのシンボルを生成する。詳しくは、基地局１００は、出力データｘ［ｎ］をパラレル−シリアル変換することで、時間領域のＧＦＤＭシンボル、即ちＧＦＤＭ時間波形を得る。
【００８４】
そして、基地局１００は、ＧＦＤＭシンボルにＣＰを追加し、ＤＡＣを適用してＲＦ信号を出力する。この後、基地局１００は、高周波回路により、所望の増幅及び周波数変換を施した後、アンテナから送信する。
【００８５】
なお、図１４に示した各々の構成要素は、送信処理部１５５に相当してもよい。もちろん、その他の任意の対応関係も許容される。
【００８６】
以上、ＧＦＤＭ信号の送信に関する信号処理の一例を説明した。続いて、図１４を参照して、ＭＩＭＯの場合のＧＦＤＭ信号の送信に関する信号処理について説明する。
【００８７】
・ＭＩＭＯ（multiple-input  and  multiple-output）の場合
図１５は、本実施形態に係る基地局１００によるＭＩＭＯのＧＦＤＭ信号の送信に関する信号処理の一例を説明するための図である。図１５に示すように、基地局１００は、多重する送信データごとに、ＦＥＣ符号化、レートマッチング、スクランブリング、インタリービング及びビット列からシンボルへのマッピングを行う。次いで、送信装置は、送信レイヤマッピングにより多重化して、多重化信号ごとにプリコーディングを行う。この後の処理は、多重化信号ごとに行われる。
【００８８】
基地局１００は、多重化信号ごとにＧＦＤＭ変換処理を行う。詳しくは、基地局１００は、ＧＦＤＭ設定情報が示すサブキャリアの数Ｋ及びサブシンボルの数Ｍに応じて、複素データをリソースにマッピングする。次いで、基地局１００は、マッピングされた入力データｄｋ，ｍ［ｎ］に対してパルス整形フィルタを適用することで、上記数式（２）で示したように出力データｘ［ｎ］を得る。そして、基地局１００は、図１５では省略されているが、時間ドメインのシンボルを生成する。詳しくは、基地局１００は、出力データｘ［ｎ］をパラレル−シリアル変換することで、時間領域のＧＦＤＭシンボル、即ちＧＦＤＭ時間波形を得る。
【００８９】
そして、基地局１００は、ＤＡＣを適用し、アナログＦＥによる信号処理を行って、アンテナから無線信号を送信する。
【００９０】
なお、アナログＦＥは無線通信部１２０に相当してもよく、アンテナはアンテナ部１１０に相当してもよく、その他の構成要素は送信処理部１５５に相当してもよい。もちろん、その他の任意の対応関係も許容される。
【００９１】
（２）ＧＦＤＭ信号の受信に関する信号処理
次いで、図１６を参照して、端末装置２００によるＧＦＤＭ信号の受信に関する信号処理について説明する。ここでは、一例としてＭＩＭＯの場合について説明する。
【００９２】
図１６は、本実施形態に係る端末装置２００によるＭＩＭＯのＧＦＤＭ信号の受信に関する信号処理の一例を説明するための図である。図１６に示すように、端末装置２００は、アンテナにより受信された信号に対し、アナログＦＥによる信号処理を行い、ＡＤＣ（Analog  to  Digital  Converter）によりＡ／Ｄ変換し、ＧＦＤＭ復調を行う。ＧＦＤＭ復調器においては、端末装置２００は、受信したシンボルｘ［０］〜ｘ［Ｎ−１］から、元のデータｄ［０］〜ｄ［Ｎ−１］を取り出す。このためには、ＧＦＤＭ復調器は、送信に用いられたＧＦＤＭの変換行列Ａに対する整合フィルタ受信となるＡの共役転置行列ＡＨを乗じる回路、ゼロフォース受信となる逆行列Ａ−１を掛け合わせる回路、あるいは、ＭＭＳＥ（Minimum  Mean  Square  Error）受信回路などであってもよい。その後、端末装置２００は、ＭＩＭＯ等化、送信レイヤのデマッピングを行う。その後、端末装置２００は、受信データごとにデインタリービング、デスクランブリング、レートマッチング及びＦＥＣ復号化を行い、データを出力する。
【００９３】
なお、アナログＦＥは無線通信部２２０に相当してもよく、アンテナはアンテナ部２１０に相当してもよく、その他の構成要素は受信処理部２４３に相当してもよい。もちろん、その他の任意の対応関係も許容される。
【００９４】
＜４．５．処理の流れ＞
続いて、基地局１００及び端末装置２００における処理の流れを説明する。なお、ここでは上記説明したＧＦＤＭ信号の送信及び受信に関する信号処理についての説明は割愛する。
【００９５】
図１７は、本実施形態に係る基地局１００において実行される送信処理の流れの一例を示すフローチャートである。図１７に示すように、まず、基地局１００は、第１のリソースのリソース設定（即ち、サブシンボル長の設定及びサブキャリア周波数の設定、又は単位リソースにおけるサブキャリアの数及びサブシンボルの数）を設定する（ステップＳ１０２）。次いで、基地局１００は、第２のリソースの位置を設定する（ステップＳ１０４）。例えば、基地局１００は、第２のリソースのタイミング（即ち、周期）及び第２のリソースの時間長等を設定する。また、キャリアアグリゲーションを行う場合、基地局１００は、第２のリソースを送信するキャリアをさらに設定する。次に、基地局１００は、設定内容を示す情報をシステム情報に格納する（ステップＳ１０６）。例えば、基地局１００は、第１のリソースのリソース設定を示すＧＦＤＭ設定情報をＭＩＢ又はＳＩＢに格納し、第２のリソースの位置を特定するための情報を同期信号に格納する。そして、基地局１００は、上記の設定に従いリソースにマッピングされた送信データをＧＦＤＭ変調して（ステップＳ１０８）、送信する（ステップＳ１１０）。
【００９６】
図１８は、本実施形態に係る端末装置２００において実行される受信処理の流れの一例を示すフローチャートである。図１８に示すように、まず、端末装置２００は、ＰＳＳ又はＳＳＳ等の同期用のシンボルを検出して同期を確立する（ステップＳ２０２）。次いで、端末装置２００は、同期シンボルの位置から相対的に割り出すことが可能な、最も基本的なシステム情報を含むＭＩＢを検出する（ステップＳ２０４）。次に、端末装置２００は、所定のリソース設定（即ち、サブシンボルの時間長が所定値であり、サブキャリアの帯域幅が所定値である設定）でＭＩＢを含む第２のリソースを復調する（ステップＳ２０６）ことで、ＭＩＢを取得する（ステップＳ２０８）。次いで、端末装置２００は、ＭＩＢから、該キャリアのＧＦＤＭ設定情報を取得する（ステップＳ２１０）。次に、端末装置２００は、キャリアアグリゲーションが実施されているか否かを判定する（ステップＳ２１２）。実施されていないと判定された場合（ステップＳ２１２／ＮＯ）、端末装置２００は、ＧＦＤＭ設定情報を用いて第１のリソースを復調する（ステップＳ２１４）。一方で、実施されていると判定された場合（ステップＳ２１２／ＹＥＳ）、端末装置２００は、ＭＩＢからさらに他のキャリアのＧＦＤＭ設定情報を取得する（ステップＳ２１６）。そして、端末装置２００は、各々のキャリアに対応するＧＦＤＭ設定情報を用いて、各々のキャリアの第１のリソースを復調する（ステップＳ２１８）。
【００９７】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【００９８】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【００９９】
＜５．１．基地局に関する応用例＞
（第１の応用例）
図１９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１００】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１９に示したように複数のアンテナ８１０を有し、複数のアンテナ８１０は、例えばｅＮＢ８００が使用する複数の周波数帯域にそれぞれ対応してもよい。なお、図１９にはｅＮＢ８００が複数のアンテナ８１０を有する例を示したが、ｅＮＢ８００は単一のアンテナ８１０を有してもよい。
【０１０１】
基地局装置８２０は、コントローラ８２１、メモリ８２２、ネットワークインタフェース８２３及び無線通信インタフェース８２５を備える。
【０１０２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１０３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１０４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１０５】
無線通信インタフェース８２５は、図１９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１９に示したように複数のＲＦ回路８２７を含み、複数のＲＦ回路８２７は、例えば複数のアンテナ素子にそれぞれ対応してもよい。なお、図１９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１０６】
図１９に示したｅＮＢ８００において、図６を参照して説明した処理部１５０に含まれる１つ以上の構成要素（設定部１５１、通知部１５３及び／又は送信処理部１５５）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１０７】
また、図１９に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１０８】
（第２の応用例）
図２０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１０９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２０に示したように複数のアンテナ８４０を有し、複数のアンテナ８４０は、例えばｅＮＢ８３０が使用する複数の周波数帯域にそれぞれ対応してもよい。なお、図２０にはｅＮＢ８３０が複数のアンテナ８４０を有する例を示したが、ｅＮＢ８３０は単一のアンテナ８４０を有してもよい。
【０１１０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【０１１１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１９を参照して説明したＢＢプロセッサ８２６と同様のものである。無線通信インタフェース８５５は、図２０に示したように複数のＢＢプロセッサ８５６を含み、複数のＢＢプロセッサ８５６は、例えばｅＮＢ８３０が使用する複数の周波数帯域にそれぞれ対応してもよい。なお、図２０には無線通信インタフェース８５５が複数のＢＢプロセッサ８５６を含む例を示したが、無線通信インタフェース８５５は単一のＢＢプロセッサ８５６を含んでもよい。
【０１１２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１１３】
また、ＲＲＨ８６０は、接続インタフェース８６１及び無線通信インタフェース８６３を備える。
【０１１４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１１５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２０に示したように複数のＲＦ回路８６４を含み、複数のＲＦ回路８６４は、例えば複数のアンテナ素子にそれぞれ対応してもよい。なお、図２０には無線通信インタフェース８６３が複数のＲＦ回路８６４を含む例を示したが、無線通信インタフェース８６３は単一のＲＦ回路８６４を含んでもよい。
【０１１６】
図２０に示したｅＮＢ８３０において、図６を参照して説明した処理部１５０に含まれる１つ以上の構成要素（設定部１５１、通知部１５３及び／又は送信処理部１５５）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１１７】
また、図２０に示したｅＮＢ８３０において、例えば、図６を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１１８】
＜５．２．端末装置に関する応用例＞
（第１の応用例）
図２１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１１９】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１２０】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１２１】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２１に示したように複数のＢＢプロセッサ９１３及び複数のＲＦ回路９１４を含んでもよい。なお、図２１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１２２】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１２３】
アンテナスイッチ９１５の各々は、無線通信インタフェース９１２に含まれる複数の回路（例えば、異なる無線通信方式のための回路）の間でアンテナ９１６の接続先を切り替える。
【０１２４】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２１に示したように複数のアンテナ９１６を有してもよい。なお、図２１にはスマートフォン９００が複数のアンテナ９１６を有する例を示したが、スマートフォン９００は単一のアンテナ９１６を有してもよい。
【０１２５】
さらに、スマートフォン９００は、無線通信方式ごとにアンテナ９１６を備えてもよい。その場合に、アンテナスイッチ９１５は、スマートフォン９００の構成から省略されてもよい。
【０１２６】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２１に示したスマートフォン９００の各ブロックへ電力を供給する。補助コントローラ９１９は、例えば、スリープモードにおいて、スマートフォン９００の必要最低限の機能を動作させる。
【０１２７】
図２１に示したスマートフォン９００において、図７を参照して説明した処理部２４０に含まれる１つ以上の構成要素（取得部２４１及び／又は受信処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１２８】
また、図２１に示したスマートフォン９００において、例えば、図７を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１２９】
（第２の応用例）
図２２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１３０】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１３１】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１３２】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１３３】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２２に示したように複数のＢＢプロセッサ９３４及び複数のＲＦ回路９３５を含んでもよい。なお、図２２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１３４】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１３５】
アンテナスイッチ９３６の各々は、無線通信インタフェース９３３に含まれる複数の回路（例えば、異なる無線通信方式のための回路）の間でアンテナ９３７の接続先を切り替える。
【０１３６】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２２に示したように複数のアンテナ９３７を有してもよい。なお、図２２にはカーナビゲーション装置９２０が複数のアンテナ９３７を有する例を示したが、カーナビゲーション装置９２０は単一のアンテナ９３７を有してもよい。
【０１３７】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１３８】
バッテリー９３８は、図中に破線で部分的に示した給電ラインを介して、図２２に示したカーナビゲーション装置９２０の各ブロックへ電力を供給する。また、バッテリー９３８は、車両側から給電される電力を蓄積する。
【０１３９】
図２２に示したカーナビゲーション装置９２０において、図７を参照して説明した処理部２４０に含まれる１つ以上の構成要素（取得部２４１及び／又は受信処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１４０】
また、図２２に示したカーナビゲーション装置９２０において、例えば、図７を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１４１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、取得部２４１及び受信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１４２】
＜＜６．まとめ＞＞
以上、図１〜図２２を参照して、本開示の一実施形態について詳細に説明した。上記説明したように、基地局１００は、第１のリソースにおけるサブキャリアの帯域幅又はサブシンボルの時間長の少なくともいずれかを可変に設定し、第１のリソースのリソース設定を示す情報をサブキャリアの帯域幅及びサブシンボルの時間長に所定値が設定される第２のリソースに格納する。これにより、第１のリソースのリソース設定を示す情報が、端末装置２００側でも既知なサブキャリアの帯域幅及びサブシンボルの時間長の第２のリソースに格納されることとなる。よって、端末装置２００は、第２のリソースを復調して第１のリソースのリソース設定を示す情報を取得することが容易に可能となり、取得した情報に基づいて第１のリソースも容易に復調することが可能となる。このようにして、送信側でのＧＦＤＭ変調に係るリソース設定を適切に受信側に通知することが可能な仕組みが提供される。
【０１４３】
このような仕組みは、キャリアアグリゲーションにも有効である。例えば、第１のリソースと当該第１のリソースのＧＦＤＭ設定情報が格納される第２のリソースとは、異なるキャリアで送信されてもよい。即ち、あるキャリアに、他のキャリアのＧＦＤＭ設定情報が格納されてもよい。よって、複数のキャリアのＧＦＤＭ設定情報を、まとめてひとつのキャリアに含めて効率的に通知することが可能となる。
【０１４４】
また、プライマリセルに、セカンダリセルのＧＦＤＭ設定情報が含まれてもよい。そのため、端末装置２００では、各々のキャリアを復調せずとも各キャリアのＧＦＤＭ設定情報を取得可能となり、且つセカンダリセルの監視を省略することが可能となるので、消費電力の大幅な削減が可能となる。
【０１４５】
さらに、基地局１００は、アグリゲートされるキャリアのうち特定のキャリアに対して、サブシンボル数を増加させ、サブキャリア帯域を拡大することで、端末装置２００の周波数精度を緩和するキャリアを確保することが容易に可能となる。このような方法により、高速移動時又はロングスリープ時などにおける端末装置２００のキャリア周波数追従性の向上が期待され、再送の頻度の低減及び通信の低遅延化も達成される。
【０１４６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１４７】
例えば、上記実施形態では、基地局１００が送信装置であり、端末装置２００が受信装置であるものとして説明したが、本技術はかかる例に限定されない。例えば、端末装置２００が送信装置であり、基地局１００が受信装置であってもよい。また、基地局と端末との間の通信に限定されず、例えばＤ２Ｄ（Device  to  Device）通信、Ｖ２Ｘ（Vehicle  to  X）通信等にも、本技術は適用可能である。
【０１４８】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１４９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１５０】
なお、以下のような構成も本開示の技術的範囲に属する。
（１）
第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースに格納する処理部、
を備える装置。
（２）
前記第１のリソースと当該第１のリソースの設定内容を示す情報が格納される前記第２のリソースとは、同一の周波数帯域で送信される、前記（１）に記載の装置。
（３）
前記第１のリソースと当該第１のリソースの設定内容を示す情報が格納される前記第２のリソースとは、異なる周波数帯域で送信される、前記（１）又は（２）に記載の装置。
（４）
前記第１のリソースの設定内容を示す情報が格納される前記第２のリソースを含む周波数帯域はプライマリセルであり、前記第１のリソースの設定内容を示す情報が格納される前記第２のリソースを含まない周波数帯域はセカンダリセルである、前記（３）に記載の装置。
（５）
送信される複数の周波数帯域のうち、少なくともひとつの周波数帯域は全体が前記第２のリソースであり、他の周波数帯域は全体が前記第１のリソースである、前記（３）又は（４）に記載の装置。
（６）
前記第１のリソースの設定内容を示す情報は、システム情報に含まれる、前記（１）〜（５）のいずれか一項に記載の装置。
（７）
周期的に送信されるシステム情報のうち毎回又は一部の回のシステム情報が前記第２のリソースに格納される、前記（６）に記載の装置。
（８）
前記システム情報の一部又は全部が前記第２のリソースに格納される、前記（６）又は（７）に記載の装置。
（９）
前記システム情報は、ＭＩＢ（Master  Information  Block）である、前記（６）〜（８）のいずれか一項に記載の装置。
（１０）
前記システム情報は、ＳＩＢ（System  Information  Block）である、前記（６）〜（８）のいずれか一項に記載の装置。
（１１）
前記第１のリソースの設定内容を示す情報は、個別のシグナリングメッセージに含まれる、前記（１）〜（５）のいずれか一項に記載の装置。
（１２）
前記第２のリソースの位置を特定するための情報は、システム情報に含まれる、前記（１）〜（１１）のいずれか一項に記載の装置。
（１３）
前記第２のリソースの位置を特定するための情報は、同期信号に含まれる、前記（１）〜（１１）のいずれか一項に記載の装置。
（１４）
前記第２のリソースにおいて設定されるサブシンボルの時間長の前記所定値は、ＯＦＤＭ（orthogonal  frequency-division  multiplexing）におけるシンボルの時間長である、前記（１）〜（１３）のいずれか一項に記載の装置。
（１５）
前記第２のリソースにおいて設定されるサブキャリアの帯域幅の前記所定値は、ＯＦＤＭにおけるサブキャリアの帯域幅である、前記（１）〜（１４）のいずれか一項に記載の装置。
（１６）
前記第１のリソースの設定内容を示す情報は、前記第１のリソースの設定内容に対応するインデックスである、前記（１）〜（１５）のいずれか一項に記載の装置。
（１７）
前記処理部は、前記第１のリソース及び前記第２のリソースをサブキャリアごとにフィルタリングする、前記（１）〜（１６）のいずれか一項に記載の装置。
（１８）
サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいて前記第１のリソースを復調する処理部、
を備える装置。
（１９）
第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースにプロセッサにより格納すること、
を含む方法。
（２０）
サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいてプロセッサにより前記第１のリソースを復調すること、
を含む方法。
（２１）
コンピュータを、
第１のリソースにおけるサブキャリアの帯域幅又はサブシンボルの時間長の少なくともいずれかを可変に設定し、前記第１のリソースの設定内容を示す情報をサブキャリアの帯域幅及びサブシンボルの時間長に所定値が設定される第２のリソースに格納する処理部、
として機能させるためのプログラム。
（２２）
コンピュータを、
サブキャリアの帯域幅又はサブシンボルの時間長の少なくともいずれかを可変に設定された第１のリソースの設定内容を示す情報が格納された、サブキャリアの帯域幅及びサブシンボルの時間長に所定値が設定された第２のリソースを復調し、前記第１のリソースの設定内容を示す情報に基づいて前記第１のリソースを復調する処理部、
として機能させるためのプログラム。
【符号の説明】
【０１５１】
１        システム
１００    基地局
１１０    アンテナ部
１２０    無線通信部
１３０    ネットワーク通信部
１４０    記憶部
１５０    処理部
１５１    設定部
１５３    通知部
１５５    送信処理部
２００    端末装置
２１０    アンテナ部
２２０    無線通信部
２３０    記憶部
２４０    処理部
２４１    取得部
２４３    受信処理部
【図１】
2017138224.tif 000006
【図２】
2017138224.tif 000007
【図３】
2017138224.tif 000008
【図４】
2017138224.tif 000009
【図５】
2017138224.tif 000010
【図６】
2017138224.tif 000011
【図７】
2017138224.tif 000012
【図８】
2017138224.tif 000013
【図９】
2017138224.tif 000014
【図１０】
2017138224.tif 000015
【図１１】
2017138224.tif 000016
【図１２】
2017138224.tif 000017
【図１３】
2017138224.tif 000018
【図１４】
2017138224.tif 000019
【図１５】
2017138224.tif 000020
【図１６】
2017138224.tif 000021
【図１７】
2017138224.tif 000022
【図１８】
2017138224.tif 000023
【図１９】
2017138224.tif 000024
【図２０】
2017138224.tif 000025
【図２１】
2017138224.tif 000026
【図２２】
2017138224.tif 000027
【国際調査報告】
2017138224.tif 000028
2017138224.tif 000029
2017138224.tif 000030
2017138224.tif 000031